(57)【要約】      （修正有）【課題】載置物を円滑に車両の荷台床の架台に載置でき、荷台床に載置した載置物を安定した状態で搬送できる車両の床設置型架台を提供する。【解決手段】車両の荷台床に固定して設置される車両前後方向に長尺のベース１と、ベースの中央部に前後方向に形成され、一定間隔で複数個のスライドローラ５が回転自在に配置された凹部４と、各スライドローラの転動により凹部内を前後方向にスライド自在に設置された載置台８と、載置台に上部が突出して回転自在に設けられた複数個のコンベアローラ９と、コンベアローラの転動により摺動して載置台上に載置された載置物を前後に移動しないように固定する固定部材とを備える。【選択図】図１
0003209311.tif 000002
【実用新案登録請求の範囲】
【請求項１】
車両の荷台床に固定して設置される車両前後方向に長尺のベースと、
前記ベースの中央部に前後方向に形成され、前後にわたり一定間隔で複数個のスライドローラが回転自在に配置された凹部と、
前記各スライドローラの転動により前記凹部内を前後方向にスライド自在に設置された載置台と、
前記載置台に上部が突出して回転自在に設けられた複数個のコンベアローラと、
前記コンベアローラの転動により摺動して前記載置台上に載置された載置物を前後に移動しないように固定する固定部材と
を備えた車両の床設置型架台。
【請求項２】
前記スライドローラは、前記凹部の左、右の端部にそれぞれ複数個ずつ配置されている請求項１に記載の車両の床設置型架台。
【請求項３】
前記載置物は、前後方向に長尺の箱体である請求項１または２に記載の車両の床設置型架台。
【請求項４】
前記固定部材は、前記載置物の前後を挟持するようにして固定する請求項１ないし３のいずれか１項に記載の車両の床設置型架台。
【考案の詳細な説明】
【技術分野】
【０００１】
この考案は、載置物をスライド自在に載置可能に車両の荷台床に設置される車両の床設置型架台に関するものである。
【背景技術】
【０００２】
従来、例えば救急車の荷台床に載置物をスライドして載置する場合、キャスターつきのストレッチャーに担架ごと載置物を載置し、この状態のまストレッチャーの脚部を折り畳むことによってストレッチャーごと載置物を救急車の荷台床に載置して、ストレッチャーを固定した状態で運搬することが行われ、このように脚部を折り畳み可能なストレッチャーの具体例として、例えば特許文献１に記載のものが提案されている。
【先行技術文献】
【特許文献】
【０００３】
【特許文献１】特開２００８−９９９５２号公報（段落００１８〜００２０および図１、図２など）
【考案の概要】
【考案が解決しようとする課題】
【０００４】
しかし、霊柩車の場合、棺桶を霊柩車の荷台床に載置するときには人の手によって担がれてきた棺桶を、霊柩車の荷台床に設置された架台に載置するのが通例であり、上記したストレッチャーごと棺桶を荷台床に載置することはなく、棺桶を如何に円滑に霊柩車の荷台床の架台に載置できるかという点と、荷台床に載置した棺桶を安定した状態で搬送できるかという点が重要であり、これらの重要点を解決可能な架台構造の開発が望まれている。
【０００５】
この考案は、上記課題に鑑みなされたものであり、載置物を円滑に車両の荷台床の架台に載置でき、荷台床に載置した載置物を安定した状態で搬送できるようにすることを目的とする。
【課題を解決するための手段】
【０００６】
上記した課題を解決するために、本考案の車両の床設置型架台は、車両の荷台床に固定して設置される車両前後方向に長尺のベースと、前記ベースの中央部に前後方向に形成され、前後にわたり一定間隔で複数個のスライドローラが回転自在に配置された凹部と、前記各スライドローラの転動により前記凹部内を前後方向にスライド自在に設置された載置台と、前記載置台に上部が突出して回転自在に設けられた複数個のコンベアローラと、前記コンベアローラの転動により摺動して前記載置台上に載置された載置物を前後に移動しないように固定する固定部材とを備えたことを特徴としている。
【０００７】
このような構成によれば、車両の荷台床に固定されたベースに対して載置台を車両の外部に一部がはみ出るようにスライドさせておき、車両の外部に一部がはみ出るようにスライドさせた載置台に載置物を載置し、ベースに対して載置台を車両の奥部に向かってスライドさせることによりベース上に載置物を載置し、固定部材により載置物を固定するため、載置物を円滑に車両の荷台床の架台に載置でき、荷台床に載置した載置物を固定した状態で搬送することができる。
【０００８】
また、前記スライドローラは、前記凹部の左、右の端部にそれぞれ複数個ずつ配置されているとよい。こうすると、載置台をより円滑にスライドさせることができる。このとき、前記載置物は、前後方向に長尺の箱体であってもよい。
【０００９】
また、前記固定部材は、前記載置物の前後を挟持するようにして固定するとよい。こうすると、車両の移動中であっても載置物が動かないように固定しておくことができ、載置物を安定して運搬することができる。
【考案の効果】
【００１０】
本考案によれば、車両の荷台床に固定して設置される車両前後方向に長尺のベースと、ベースの中央部に前後方向に形成され、前後にわたり一定間隔で複数個のスライドローラが回転自在に配置された凹部と、各スライドローラの転動により凹部内を前後方向にスライド自在に設置された載置台と、載置台に上部が突出して回転自在に設けられた複数個のコンベアローラと、コンベアローラの転動により摺動して載置台上に載置された載置物を前後に移動しないように固定する固定部材とを備えたため、載置物を円滑に車両の荷台床の架台に載置でき、荷台床に載置した載置物を安定した状態で搬送することができ、霊柩車の荷台に適用すると非常に効果的である。
【図面の簡単な説明】
【００１１】
【図１】本考案に係る車両の床設置型架台の一実施形態を示す平面図である。
【図２】図１のベースの平面図である。
【図３】（ａ）は図１のベースの側面図、（ｂ）は図１のベースの正面図である。
【図４】図１の載置台の平面図である。
【図５】（ａ）は図１の載置台の側面図、（ｂ）は図１の載置台の正面図である。
【考案を実施するための形態】
【００１２】
本考案に係る車両の床設置型架台を霊柩車に適用した一実施形態について、図１ないし図５を参照して詳細に説明する。なお、以下の説明において前後左右は、運転席に座った状態における前後左右を意味する。
【００１３】
図１に示すように、本実施形態における床設置型架台は、ステンレス製のベース１と、スロープ板２と、ステンレス製の載置台８と、パイプをコ字状に屈曲して成る固定部材１３（図３参照）とを備える。そして、車両である霊柩車の前後方向に長尺のベース１が霊柩車の荷台床に固定して設置され、ベース１の後端にスロープ板２の前端がヒンジにより回転自在に取り付けられ、スロープ板２の後端部が下動されて状態では、後端が荷台床よりも下方に位置してスロープを形成し、スロープ板２の後端部が上動された状態では、スロープ板２はほぼ垂直に立設した状態に保持される。
【００１４】
図１および図２に示すように、ベース１の中央部には前後方向にわたる凹部４が形成され、この凹部４の左右端部には前後にわたり一定間隔で複数個のスライドローラ５が回転自在に配置されており、後述する載置台がこの凹部４内を前後方向に摺動して載置台の後端部が霊柩車の後方にはみ出し可能なように配置される。また、ベース１の左、右端には、載置物である棺桶（図示せず）の左右幅とほぼ同じか若干広い間隔で左右のガイド６ａ，６ｂが設けられている。
【００１５】
図１および図３に示すように、ベース１の凹部４には、スライドローラ５の転動により前後方向にスライドする載置台８が設置され、図１および図４に示すように、載置台８の中央には前後に一定間隔で複数個のコンベアローラ９がその上部を載置台８表面の上方に突出した状態で回転自在に配設され、棺桶がコンベアローラ９の転動により載置台８上を移動する。
【００１６】
このとき、図３（ｂ）に示すように、ベース１の凹部４を除く上面と、凹部４内に設置した載置台８の上面との高さがほぼ同一面を形成して棺桶が移動しやすいように、凹部４の深さおよび載置台８の高さが設定されている。また、図４および図５に示すように、載置台８のこう面には例えばタキゲン株式会社の製品番号Ａ−８７１−２−Ｓの押しボタン式ダブルハンドル１０が取り付けられ、タキゲン株式会社の製品番号Ｃ−８８１  Ｃ−６２５−ＳＴ−７のプッシュ式角ラッチストライカーとの組み合わせにより、載置台８を凹部４内に固定または固定解除できる構成が採用されている。
【００１７】
さらに、図１および図２に示すように、ベース１の凹部４を除く上面には、前端側から棺桶の各規格寸法長さに応じた位置に左右一対ずつの孔１２が形成されており、図３（ｂ）に示すように、左右一組の孔１２にパイプをコ字状に屈曲して成る固定部材１３の下端が挿入されて固定部材１３がベース１に取り付けられ、コンベアローラ９の転動により摺動して載置台８上に載置された棺桶が前後に移動しないように固定される。このとき、図１および図２に示すように、ベース１の前端に緩衝体１４が取り付けられ、この緩衝体１４により載置台８の前端が当接する際の衝撃が吸収されるようになっている。また、載置台８の前端には、図５に示すように垂直な立設部１６が形成され、この立設部１６と固体部材１３とにより前後が挟持された状態で棺桶が固定される。
【００１８】
したがって、上記した実施形態によれば、霊柩車の荷台床に固定されたベース１に対して載置台８を霊柩車の荷台の外部に一部が食み出るようにスライドさせておき、霊柩車の後方に一部がはみ出るようにスライドさせた載置台８に載置物である棺桶を載置し、ベース１に対して載置台８を霊柩車の奥部に向かってスライドさせることによりベース１上に棺桶を載置し、固定部材１３により棺桶を固定するため、棺桶を円滑に霊柩車の荷台床の架台に載置することができ、荷台床に載置した棺桶を動かないようにしっかりと固定した状態で搬送することが可能になる。
【００１９】
また、載置台８をベース１~簡単に取り外すことができるため、載置台８の清掃作業を容易に行うことができ、載置台８を取り外した後のベース１の層性も容易に行うことができて、清掃作業を効率的に行うことが可能である。
【００２０】
なお、本考案は上記した実施形態に限定されるものではなく、その趣旨を逸脱しない限りにおいて種々の変更を行うことが可能である。
【００２１】
例えば上記した実施形態では、車両を霊柩車とし、かつ載置物を棺桶とした例について説明したが、本発明が適用可能な車両は霊柩車に限定されるものではなく、荷台を有する車両であれば適用可能であり、載置する載置物も棺桶等の箱体に限定されるものではなく、箱体以外の載置物であってもよい。
【００２２】
また、上記した実施形態では、載置物を固定する固定部材として、ベース１の孔に取り付けるコ字状の固定部材１３を例示したが、このようなコ字状の固定部材１３に限定されるものではなく、要するに載置物を固定できる構成であればよい。
【符号の説明】
【００２３】
１…    ベース
４…    凹部
５…    スライドローラ
８…    載置台
９…    コンベアローラ
１３…  固定部材
【図１】
0003209311.tif 000003
【図２】
0003209311.tif 000004
【図３】
0003209311.tif 000005
【図４】
0003209311.tif 000006
【図５】
0003209311.tif 000007